(57)【要約】【課題】カラオケ等の出演者をデジタル収録してオリジナル動画音声ＣＤを作成し、放送局に転送してオーディション番組を制作することができ、ウェブ上で閲覧可能にしたオンライン動画音声配信システムを提供する。【解決手段】本体機器（動画音声収集機器）２１を媒体とし、カラオケ利用者などを実写した動画と音声をデータ収集し、メッセージ機能付オリジナル動画音声ＣＤ２０を作成する。作成したコンテンツをファイル転送サーバにアップロードした後データを抽出し、動画音声像圧縮技術を用いてウェブ上のメインサーバ６に配信し放送局９に転送する。コンテンツの閲覧はコンシューマ向けとしてストリーム形式でウェブ端末１１で行う。放送局９では動画音声コンテンツをダウンロードし、放送連動型オーディション番組を制作し放映しウェブ上にコンテンツを配信する。放送用画像は動画像広告データを追加してデータ合成加工する。【選択図】  図１
2004240070.tif 000002
【特許請求の範囲】
【請求項１】
カラオケの歌唱者等をデジタルビデオカメラで撮影して動画音声データを作成するオリジナルコンテンツデータ作成手段と、作成されたオリジナルコンテンツの動画音声データをウェブサーバ経由で放送局にオンライン転送するデータ転送配信手段と、ウェブ上のオリジナルコンテンツを閲覧するウェブ端末とを備え、放送局においてオリジナルコンテンツをダウンロードしてオーディション番組などの番組制作に利用できるようにしたことを特徴とするオンライン動画音声配信システム。
【請求項２】
オリジナルコンテンツデータが、放送用動画音声データに広告用動画像データを合成したものであることを特徴とする請求項１記載のオンライン動画音声配信システム。
【請求項３】
オーディション番組がウェブ上で放送されることを特徴とする請求項１又は請求項２記載のオンライン動画音声配信システム。
【発明の詳細な説明】
【０００１】
【発明の属する技術分野】
本発明は、インターネットにアクセス可能なウェブ端末を利用し、動画付き音声コンテンツの収集及び閲覧を行うオンライン動画音声配信システムに関し、特にカラオケで歌う人などをカメラ撮影してＣＤ等にデータ収集し、これをテレビなどの放送局に自動転送し、放送媒体の利用によりオーディション番組を制作して即時放映できるようにしたオンライン動画音声配信システムに関するものである。
【０００２】
【従来の技術】
従来のカラオケ装置において、背景動画データ及び音声データを同時に記録して、オリジナルの動画付き音声コンテンツＣＤを作成する技術が開発されている（例えば、特許文献１参照。）。
【０００３】
【特許文献１】
特開２０００−２９４８５号公報（第２−３頁、第１図、第２図）
【０００４】
【発明が解決しようとする課題】
このようなオリジナル動画音声ＣＤの作成技術においては、ＣＤ−ＲＯＭに音声データを記録する技術、若しくは背景動画データによりオリジナル動画をＣＤ−ＲＯＭに合成して作成する技術は限られていた。一方、カラオケ装置等の利用者からは、演技者の歌唱をカラオケ装置等を用いて放送局に送り、音楽等のオーディション番組に応募利用したいという要望があった。しかし、ウェブを利用した放送局とのオンライン通信システムは未だ実現されていない。
【０００５】
本発明は、上記した従来技術の実情に鑑み、ＣＤ−ＲＯＭへの音声記録もしくは背景動画の合成によるオリジナル動画音声ＣＤの作成を応用し、オリジナル動画音声ＣＤをウェブ経由で放送局に送り、音楽番組等のオーディションに利用できるオンライン動画音声配信システムを提供することを目的とするものである。
【０００６】
【課題を解決するための手段】
この目的を達成するため、本発明のオンライン動画音声配信システムは、カラオケの歌唱者をデジタルビデオカメラで撮影して動画音声データを作成するオリジナルコンテンツデータ作成手段と、作成されたオリジナルコンテンツの動画音声データをウェブサーバ経由で放送局にオンライン転送するデータ転送配信手段と、ウェブ上のオリジナルコンテンツを閲覧するウェブ端末とを備え、放送局においてオリジナルコンテンツをダウンロードしてオーディション番組などの番組制作に利用できるようにしたことを特徴とする。また、オリジナルコンテンツデータが、放送用動画音声データに広告用動画像データを合成したものであることを特徴とする。さらに、オーディション番組がウェブ上で放送されることを特徴とする。
【０００７】
本発明は、カラオケ装置等の利用者、すなわち楽曲を選曲して歌唱する人やパフォーマンスを演ずる人をビデオカメラで音声と共に撮影し、実写された動画と音声のコンテンツデータを収録し、カラオケ及びメッセージ機能付きのオリジナル動画音声ＣＤ（ＣＤ−ＲＯＭ等）として作成する。オリジナル動画音声ＣＤに収録したコンテンツデータは、インターネットを利用した通信ネットワークによりリアルタイムで各種の放送局に自動的に転送される。転送されたコンテンツデータは、放送局においてダウンロードして利用し、特にカラオケコンクール等の放送連動型オーディション等の番組を制作する。この場合、動画音声像データは広告コンテンツデータと合成して、放送用画像データに変換したうえで、音楽や演技系番組を制作して録画放映する。放送局から放映された実写の動画と音声のコンテンツは、ウェブ端末でストリーム形式を用いたオンラインシステムにより閲覧可能とする。
【０００８】
すなわち、本発明は、まずカラオケ装置等で収録したオリジナルコンテンツの動画・音声データをＣＤに記録作成し、次に、ＣＤに記録作成したコンテンツの動画・音声データをオンラインシステムで放送局（有線放送局を含む）に自動転送する。放送局ではこの動画・音声データを利用して番組制作して一般回線又は専用回線経由で放映する。コンシューマ向けサービスとして、ウェブ端末を介したストリーム形式での閲覧等を可能にする。また、放送媒体へのサービスとして、ウェブ端末を介した通信カラオケコンクール、素人演芸大会等のインターネットオーディションをオンラインで配信提供する。
【０００９】
本発明では、動画及び音声のオリジナルコンテンツをインターネット上のファイル転送サーバにアップロードする。その後、アップロードされた転送データの中から所要のコンテンツを抽出し、動画音声の圧縮技術の応用並びにブロードバンドの通信回線を用いて、放送局及び各ウェブ端末に同時又は所要時間経て転送する。したがって、音声記録及び背景動画の合成によりオリジナル動画音声ＣＤを作成し、オリジナル動画音声ＣＤのコンテンツをウェブ経由で放送局に送り、音楽等のオーディション番組に配信利用可能なオンライン動画音声配信システムを提供できる。
【００１０】
【発明の実施の形態】
次に、本発明の実施の形態を図面に示す実施例に基づいて説明する。
図１は本発明に係るオンライン動画音声配信システムの全体を示すブロック図、図２は図１のオンライン動画音声配信システムにおける本体機器の使用方法を説明するフローチャート、図３は本発明に係る配信システムの全体を説明するシステム構成図、図４は本発明に係る配信システムのハードウェアを説明するハードウェア構成図、図５（Ａ）ないし（Ｆ）は利用時の部門選択画面からプロフィール入力画面までを説明する画面展開図、図６（Ａ）ないし（Ｆ）はオンライン動画音声配信システムの放送時の画面表示例を示す画面展開図である。
【００１１】
【実施例】
図１乃至図３に示すように、本実施例は、動画音声データ記録手段及び本体機器（動画音声収集機器）２１を媒体とし、実写撮影された動画付き音声（以下、コンテンツと称す）のデジタル信号をＣＤ（コンパクトディスク）にデータ記録して、オリジナル動画音声ＣＤ２０を作成する。また、オリジナル動画音声ＣＤ２０に記録されたコンテンツを、本体機器２１のファイル転送サーバ５及びメインサーバ６（データ転送配信手段）により、インターネット経由でテレビ放送局９に配信すると共に、携帯電話、パソコン等のウェブ端末１１にコンテンツを配信するようにしたものである。
【００１２】
本体機器２１の利用者は、カラオケの歌唱者やダンス等のパフォーマンスの演者である。本体機器２１は、選曲した歌詞を表示するディスプレイモニターと、利用者の演技を動画でＣＤに記録できるデジタルビデオカメラ（オリジナルコンテンツデータ作成手段）とを備えた通信カラオケ機として機能し、記録した音声や画像をインターネット上で閲覧できる機能を備える。本体機器２１はカラオケの背景演奏を含む音声と歌唱者の動作を表示する動画をデジタル方式でデータ記録し、オリジナルＣＤを作製する。また、利用者はその動画音声を情報配信会社のホームページに送信することもでき、インターネット上で画像等を閲覧したり、情報配信会社が契約している放送事業者のオーディション番組などに送信することができる。
【００１３】
デジタルビデオカメラは、複数の人が同時に参加できるような広角カメラで構成されている。デジタルビデオカメラの解像度は、ビデオＣＤのように動画像を撮影できるスペックを有する。画面ディスプレイは１台のカメラの映像を同時に同じディスプレイに表示し、歌手モード選択の際、歌の字幕と映像が同時にプレイされるように処理できる。歌詞の字幕と映像は同時に処理する必要がある。但し、放送用コンテンツには歌詞及び字幕を除いて提供する。これらはソフトウェアで処理される。
【００１４】
放送のためのソフトウェアシステムの要求仕様について言うと、カラオケ等の配信サービスのデータ転送方式は、ＦＴＰ及びその他の方式を利用する。本体機器２１からウェブメディアセンターのファイル転送サーバ５にアップロードした後、コンテンツを抽出して番組制作などのためにデータを提供する。転送ファイルについては、合成動画像ではａｓｆ形式、ｍｐｅｇ４／２エンコーディング（放送用エンコーディング）を採用して表現し、プロフィール写真ではｊｐｅｇを採用して表現する。また、オーディションの出演者のプロフィール紹介、すなわち出演者の名前、利用時間、カラオケ等の出演番号又はエントリーナンバー、Ｅメール、応募部門、使用台本番号などはｔｘｔ形式で表現する。データ転送のプロセスは、利用者がファイルを生成し、動画像をｍｐｅｇ４／２にエンコーディングして、ローカルコンテンツデータベース４に保存する。その後、放送局などに転送して放送用コンテンツを抽出する。なお、動画像がオーディション用でない場合は、そのデータを削除する。また、サーバ側のロボットからクライアント側に生成されたファイルは、ダウンロードしてファイルを削除することができる。
【００１５】
このシステムは、図３に示すように、動画・音声データを収集できる本体機器２１には、広告ディスプレイエンジン２５、背景／音源サーバ２６、マルチメディアエンコーディングサーバ２７を介してそれぞれ、広告データ蓄積用ファイル２８、動画・音声データ蓄積用ファイル２９、ローカルオーディションデータ蓄積用ファイル３０が接続されている。広告データ蓄積用ファイル２８と動画音声データ蓄積用ファイル２９は、共に広告ディスプレイエンジン３１に接続され、両者のデータを合成加工処理できるようになっている。合成加工処理されたデータは、本体機器用データベース３２及び広告管理サーバ３３の広告管理用データベース３４に記録蓄積されるようになっている。
【００１６】
一方、ローカルオーディションデータ蓄積用ファイル３０のデータは、ファイル転送サーバ５を経由してオーディションファイル８に記録蓄積され、オーディションファイルフィルタリング７を行うことができる一方、テレビ放送局９に自動転送できるようになっている。オーディションファイル８にはメディアサーバ３６、ウェブサーバ（メインサーバ）６を介してウェブコンテンツデータベース３７に記録蓄積されるようになっている。ウェブコンテンツデータベース３７に記録蓄積されたデータは、無線コンテンツエンジン３８及び無線ウェブサーバ３９を介して、モバイル機器である携帯端末１１Ａによりアクセス可能とされている。他方ウェブサーバ６を介して、サービス利用者のパソコン１１Ｂや企画会社／番組プロデューサーのパソコン１１Ｃによりアクセス可能とされている。
【００１７】
本体機器２１は、図４に示すように、中央部にディスプレイ１９及びタッチスクリーン４１を有し、その上側には、デジタルビデオカメラ１８、通信カラオケシステム及びアンプ４２が配置されている。一方、タッチスクリーン４１の下側には、選曲リモコン４３、貨幣投入口４４が設けられ、左右両側面にはウーファースピーカー４５が搭載され、最下部にはＣＤ取出口４６が設けられている。デジタルビデオカメラ１８の他、マイク部、プロフィール入力部及びＣＤ製作用機器を備え、利用者の歌唱やパフォーマンスを音声データや映像／写真データとして収集・記録できるようになっている。音声データや映像／写真データはマルチメディアエンコーディングサーバ２７に送られ、特に動画像圧縮エンジンにより、動画用データを圧縮して入力できるようにされている。
【００１８】
本システムの全体の流れについて、図面に基づいて説明する。
図１において、本体機器（動画音声収集機器）２１には、通信カラオケデータ１、広告データ２及び実写で撮影された動画付き音声のコンテンツデータ３が複数入力される。入力されたデータは、合成加工処理されてローカルコンテンツデータベース４に記録される。ローカルコンテンツデータベース４に記録された複数の合成加工データは、ファイル転送サーバ５を経由してインターネットのメインサーバ６に転送される。
【００１９】
すると、メインサーバ６では、コンテンツデータと広告データがコンテンツサーバ６Ａ、広告サーバ６Ｂに送られる。この場合、オリジナルコンテンツデータは、放送用動画音声データに広告用動画像データを追加して合成される。広告サーバ６Ｂの広告データは、必要に応じて一部削除・修正・追加して随時更新される。コンテンツサーバ６Ａのコンテンツデータはオーディションフィルタリング７に送られ、所要データの有無を判断してフィルタリングを行う。要件を具備したコンテンツデータは、オーディションファイル８に記録蓄積される。
【００２０】
オーディションファイル８にして蓄積されたコンテンツは、テレビ放送局９にダウンロードされる。ダウンロードされたコンテンツは、テレビ放送局９において動画音声収集データとして使用され、これによりカラオケコンクール等の放送番組のプログラムが制作される。制作された放送番組のプログラムは、テレビ放送局９から放映１０が行われる。なお、メインサーバ６上のコンテンツデータ３は、オーディションの参加の有無に関わらず、携帯電話、パソコン等のウェブ端末１１によりストリーム形式で閲覧可能になる。
【００２１】
メインサーバ６においては、情報サービス配信会社が有料会員制の顧客を感知するために、インターネット上でアクセス可能なホームページ１２の運営を行う。このホームページ１２では、登録会員システムにより利用者との間で各種の情報収集を行うと共に、利用料金などの電子商取引その他のサービスを提供する。
【００２２】
本体機器２１の使用手順について詳しく説明する。まず利用者Ｍは機器使用料金を支払って本体機器２１を有料利用する。課金後に本体機器２１の画面操作により、広告モード案内画面、ロゴ画面、デモ画面、モード画面、を開いた後、オーディション参加判断部１４の選択を行う。続いて利用者Ｍは、オーディション部門のモード選択画面を展開して画面案内に従って応募する。
【００２３】
例えば、図５（Ａ）〜（Ｆ）に示すように、部門選択画面６１からプロフィール入力画面６５までを開くことで、部門選択からプロフィール入力までの操作を行う。このオーディション部門のモード選択画面１５では、例えば、図５（Ａ）の部門選択画面６１において、ボーカリストデータ１６又はパフォーマンスデータ１７のいずれかの選択を行う。オーディション部門を選択した後に、映像（音響）物の種類を選択する。ボーカリストデータ１６を選択したときは、資料選択画面６２及び録音方法案内画面６３などを開き、カラオケで希望の曲を選んで歌う。一方、パフォーマンスデータ１７を選択したときは、必要に応じて背景音楽を選んだのち、ＣＤビデオレター、モノマネ、お笑い、リポータ、アピール、俳優、モデル、ＶＪ／ＤＪ／ＣＪなどのパフォーマンスを演技する。
【００２４】
利用者Ｍが歌唱又は演技を行う間に、動画付き音声のコンテンツデータ３を記録すべく、デジタルビデオ（動画）カメラ１８等で利用者Ｍの歌唱又は演技を実写で４枚撮影し、静止画であるプロフィール写真１８を作成する。このようにして、動画付き音声のコンテンツデータ３の記録及びプロフィール写真１８の作成を終了したら、撮影された４枚のプロフィール入力部１９のうち２枚を選択する。そして、２枚の静止画データをプロフィール入力することで、オリジナルのホームページ１２用のコンテンツデータ３を作成する。作成されたコンテンツデータ３は、本体機器２１に接続したファイル転送サーバ５より、メインサーバ６にオンラインで自動転送し、ウェブサービス用データを保管管理する。コンテンツデータ３はＣＤに記録し、必要データを選別してオリジナル動画音声ＣＤ２０を作成する。
【００２５】
このように、本体機器２１の利用者Ｍは、オリジナル動画音声ＣＤ２０を作成し、携帯電話器、パソコン等のウェブ端末１１を介して、実写の動画及び音声の閲覧を行うことができる。また、利用者Ｍの選択によりオーディションフィルタリング７を通過して、テレビ放送局９のオーディション９Ａに応募できるなど、これまでにないアミューズメントを享受できる。このオーディション９Ａでは順位を選定して利用者Ｍが出演参加し、その状況はテレビ放送局９からウェブ放送９Ｂされ、ウェブネット上で放送視聴が行える。放送時には、図６（Ａ）〜（Ｄ）に示すように、動画像画面７１のみを全体表示したり、あるいは動画像画面７１と字幕／台本７２を分割表示することができる。また、カメラ１とカメラ２の画像画面７３を分割表示したり、あるいは動画像広告プレー画面７４を全体表示することができる。
【００２６】
動画像オーディション９Ａの結果はテレビ放送局９からオンラインで利用者Ｍに発送連絡されると共に、インターネット上でウェブ端末１１より閲覧できる。また、放送業界においては、利用者Ｍの素晴らしい歌唱力や演技力を幅広く情報収集でき、コンテンツデータの収集効率の向上が期待できる。さらに、通信放送事業の活性化及びオンラインシステムの広告運営による収益アップが見込める。加えて、情報配信業者や放送局が芸能プロダクションとタイアップすることで、芸能プロモーションの活動範囲の拡大にも寄与しうる。
【００２７】
本実施例のシステムを利用することで、ウェブコンテンツを効率よく収集することができる。また、放送事業又は有線放送事業の活性化を実現し、かつ高品質のコンテンツを効率的に作製、収集することができる。本体機器は使用料による収益増加のほかに、オンライン広告運営等に対するシステムに対応して、新しい収益モデルを構築できる。さらに、システムの運用に必要なビデオ動画像等の素材管理に対応できるうえに、ウェブコンテンツサービスとリンクし、円滑なデータ転送が可能になる。
【００２８】
本体機器２１の操作はタッチパネル方式で、オリジナル動画・音声ＣＤ２０は自動で作成される。オリジナル動画・音声ＣＤ２０に収集されたコンテンツは、マイコンピュータでインターネットを利用して再生可能である。オーディション仕様はオンライン方式で、歌手、お笑い、舞踊、手品、動物の曲芸等幅広い分野での出演が可能である。
【００２９】
尚、本発明は上記実施例に限定されず、種々の応用変形例が可能である。例えば、ウェブサービスを利用したマルチメディア技術により、視聴覚機器分野及び無線データ通信分野等での限りない応用技術の可能性を秘めている。
【００３０】
【発明の効果】
以上のごとく本発明によれば、本体機器の利用者はオリジナル動画音声ＣＤを作成するとともに、携帯電話、パソコン等のウェブ端末を介して、実写の動画付き音声の閲覧やオーディションなど、これまでにないアミューズメントを享受できるようになる。また、放送業界におけるコンテンツの収集効率の向上が見込め、事業の活性化及びオンラインシステムの広告運営による収益増大が期待できる。さらに、芸能プロダクションとタイアップした芸能プロモーションの活動促進も寄与することができる等、多くの優れた効果がある。
【図面の簡単な説明】
【図１】本発明に係るオンライン動画音声配信システムの全体を示すブロック図である。
【図２】図１のオンライン動画音声配信システムにおける本体機器の使用方法を説明するフローチャートである。
【図３】本発明に係る配信システムの全体を説明するシステム構成図である。
【図４】本発明に係る配信システムのハードウェアを説明するハードウェア構成図である。
【図５】利用時の部門選択画面からプロフィール入力画面までを説明する画面展開図である。
【図６】オンライン動画音声配信システムの放送時の画面表示例を示す画面展開図である。
【符号の説明】
１    通信カラオケデータ
２    広告データ
３    コンテンツデータ
４    ローカルコンテンツデータベース
５    ファイル転送サーバ（データ転送配信手段）
６    ウェブサーバ（メインサーバ、データ転送配信手段））
７    オーディションフィルタリング
８    オーディションファイル
９    テレビ放送局
１０  番組作成放映
１１  ウェブ端末
１２  ホームページ
１３  課金部
１４  オーディション参加判断部
１５  モード選択画面
１６  ボーカリストデータ
１７  パフォーマンスデータ
１８  デジタルビデオカメラ（オリジナルコンテンツデータ作成手段）
１９  プロフィール入力部
２０  オリジナル動画音声ＣＤ
２１  本体機器（動画音声収集機器、カラオケ装置）
２５  広告ディスプレイエンジン
２６  背景／音源サーバ
２７  マルチメディアエンコーディングサーバ
２８  広告データ蓄積用ファイル
２９  動画音声データ蓄積用ファイル
３０  ローカルオーディションデータ蓄積用ファイル
３１  広告ディスプレイエンジン
３２  本体機器用データベース
３３  広告管理サーバ
３４  広告管理用データベース
３６  マルチメディアサーバ
３７  ウェブコンテンツデータベース
３８  無線コンテンツエンジン
３９  無線ウェブサーバ
４１  ディスプレー及びタッチスクリーン
４２  通信カラオケシステム及びアンプ
４３  選曲リモコン
４４  貨幣投入口
４５  ウーファースピーカー
【図１】
2004240070.tif 000003
【図２】
2004240070.tif 000004
【図３】
2004240070.tif 000005
【図４】
2004240070.tif 000006
【図５】
2004240070.tif 000007
【図６】
2004240070.tif 000008